(57)【要約】【課題】表示部の表示の正確な認識を可能にし、操作ミスや判断ミスを防止する医療機器システムを提供する。【解決手段】第１の医療機器２０と第２の医療機器２０とを有する医療機器システム。第１及び第２の医療機器２０は、第１及び第２の医療機器２０に関する情報を所定の表示色で夫々表示する第１及び第２の表示ユニット４０と、第１及び第２の表示ユニット４０の表示色を夫々設定する第１及び第２の色設定部５３ａとを有する。第１の色設定部５３ａと第２の色設定部５３ａとは、第１の表示ユニット４０の表示色と第２の表示ユニット４０の表示色とを互いに異なった色に設定可能である。【選択図】図２
2006254964.tif 000002
【特許請求の範囲】
【請求項１】
第１の医療機器と、第２の医療機器と、を具備し、
前記第１の医療機器は、前記第１の医療機器に関する情報を所定の表示色で表示する第１の表示ユニットと、前記第１の表示ユニットの表示色を設定する第１の色設定部と、を有し、
前記第２の医療機器は、前記第２の医療機器に関する情報を所定の表示色で表示する第２の表示ユニットと、前記第２の表示ユニットの表示色を設定する第２の色設定部と、を有し、
前記第１の色設定部と前記第２の色設定部とは、前記第１の表示ユニットの表示色と前記第２の表示ユニットの表示色とを互いに異なった色に設定可能である、
ことを特徴とする医療機器システム。
【請求項２】
前記第１の色設定部は、複数の表示色を登録可能な表示色登録部と、前記表示色登録部に登録されている複数の表示色からいずれかの表示色を選択して設定するための設定スイッチと、を有する、ことを特徴とする請求項１に記載の医療機器システム。
【請求項３】
前記表示色登録部には、複数の表示色が順番に登録されており、
前記設定スイッチを操作することにより、順番に表示色が選択され設定される、
ことを特徴とする請求項２に記載の医療機器システム。
【請求項４】
前記第１の表示ユニットは、所定の色で発光可能な発光部と、前記発光部の発光を利用して前記第１の医療機器に関する情報を所定の色で表示する表示部と、を有し、
前記発光部は、夫々が三原色の相異なるいずれかの色で発光する第１乃至第３の光源を備え、
前記第１の色設定部は、前記第１乃至第３の光源のいずれかの光源を選択する選択スイッチと、選択された光源の光量を調節するための調節部と、を有する、
ことを特徴とする請求項１に記載の医療機器システム。
【請求項５】
前記第１乃至第３の光源には、順番が定まっており、
前記選択スイッチを操作することにより、順番に光源が選択される、
ことを特徴とする請求項４に記載の医療機器システム。
【請求項６】
前記第１の表示ユニットは、所定の色で発光する発光部と、前記発光部の発光を利用して前記第１の医療機器に関する情報を所定の色で表示する表示部と、を有し、
前記発光部は、夫々が三原色の相異なるいずれかの色で発光する第１乃至第３の光源を備え、
前記第１の色設定部は、前記第１乃至第３の光源の光量を夫々調節するための第１乃至第３の調節部を有する、
ことを特徴とする請求項１に記載の医療機器システム。
【請求項７】
前記第１の医療機器は、前記第１の色設定部で設定された前記第１の表示ユニットの表示色に関する情報を前記第１の色設定部から取得し、前記第２の医療機器へと送信する送信手段をさらに有し、
前記第２の医療機器は、前記送信手段から送信された前記第１の表示ユニットの表示色に関する情報を受信する受信手段をさらに有し、
前記第２の色設定部は、前記受信手段から前記第１の表示ユニットの表示色に関する情報を取得し、前記第２の表示ユニットの表示色が前記第１の表示ユニットの表示色と同一に設定されるのを禁止する、
ことを特徴とする請求項１に記載の医療機器システム。
【請求項８】
前記第２の色設定部は、設定されている前記第２の表示ユニットの表示色が前記第１の表示ユニットの表示色と同一である場合には、前記第２の表示ユニットの表示色を前記第１の表示ユニットの表示色と異なったものに自動的に変更する、
ことを特徴とする請求項７に記載の医療機器システム。
【請求項９】
複数のモードを有する医療機器であって、
前記医療機器が複数のモードのいずれのモードにあるかを検知するモード検知部と、
前記医療機器に関する情報を所定の表示色で表示する表示ユニットと、
前記モード検知部によって検知されたモードに応じて、前記表示ユニットの表示色をモード毎に相異なる表示色に設定する色設定部と、
を具備することを特徴とする医療機器。
【請求項１０】
前記モードを切替えるための切替スイッチをさらに具備する、
ことを特徴とする請求項９に記載の医療機器。
【請求項１１】
前記複数のモードは、前記医療機器が通常の作動状態にある少なくとも１つの通常モードと、前記医療機器に異常が発生している警告モードと、を有し、
前記色設定部は、前記医療機器が所定の通常モードにある場合には表示色を所定の基調色に設定し、前記医療機器が他の通常モードにある場合には表示色を前記基調色の調和色に設定し、前記医療機器が警告モードにある場合には表示色を前記基調色の補色に設定する、
ことを特徴とする請求項９に記載の医療機器。
【発明の詳細な説明】
【技術分野】
【０００１】
本発明は、医療機器についての情報を表示する表示部を有する医療機器、及び、このような医療機器を複数組み合わせた医療機器システムに関する。
【背景技術】
【０００２】
従来、様々な情報を表示する表示部を有する医療機器が用いられている。このような医療機器として、特許文献１には、医療用画像を表示する医療用画像表示装置が開示されている。
【０００３】
特許文献１の医療用画像表示装置では、医療用画像を表示するのにＬＥＤを用いている。ＬＥＤでは、画像を表示する液晶パネルの裏側に照明用のバックライトが配設されており、液晶パネルにおいて光の透過率を調節することで表示画像の明るさを調節している。
【０００４】
医療用画像の観察においては、複数の医療用画像を相互に参照しながら観察する場合がある。このような観察に適するように、複数の医療用画像表示装置を並設し、各々の医療用画像表示装置に医療用画像を表示させることが行われている。この場合、表示画像の色に差があると、医療用画像の対比観察がしにくくなる。
【０００５】
このような色の差を低減させるために、特許文献１の医療用画像表示装置では、表示画像の色の調整を可能としている。即ち、バックライトとして、相関色温度の異なる複数の光源を用い、これら光源の光量を夫々調節することにより、バックライトの発光色を調節している。そして、バックライトの発光色の調節によって、表示画像の色を調節し、表示画像間の色の差を低減している。
【特許文献１】特開２００３−２９５１５４号公報
【発明の開示】
【発明が解決しようとする課題】
【０００６】
近年、医療機器として多種多様のものが用いられるようになっており、複数の医療機器を並設して同時に使用することが行われている。ここで、医療機器の表示部に用いられる表示色は複数の医療機器間で似通っていることがある。このような場合には、他の医療機器の表示部を、目的とする医療機器の表示部と取り違えて、情報を誤認してしまうおそれがある。また、医療機器には、異なった出力レベルが選択可能であるといったように、複数のモード（状態）を有するものがある。ここで、各モードにおける表示部の表示色が似通ったものであると、医療機器がどのモードにあるか誤認してしまうおそれがある。
【０００７】
ここで、特許文献１の医療用画像装置では、表示画像の色を調節することが可能である。しかしながら、特許文献１の医療用画像表示装置は、複数の医療用画像表示装置の表示画像の色の間の差を極力低減させることを目的としている。このため、複数の医療用画像表示装置のバックライトの発光色は予めほぼ一致するように製造されており、バックライトの個体間の発光色のばらつきを調節するためにバックライトの色を調節している。即ち、特許文献１の医療用画像表示装置は、微妙な色の差を調節するように構成されている。
【０００８】
このため、特許文献１の医療用画像表示装置の色の調節方法は、複数の医療機器又は複数のモードの判別を容易にするための表示色の調節に適用するには、不適切なものである。
【０００９】
本発明は、上記課題に着目してなされたもので、その目的とするところは、表示部の表示の正確な認識を可能にし、操作ミスや判断ミスを防止する医療機器システム及び医療機器を提供することである。
【課題を解決するための手段】
【００１０】
請求項１の発明は、第１の医療機器と、第２の医療機器と、を具備し、前記第１の医療機器は、前記第１の医療機器に関する情報を所定の表示色で表示する第１の表示ユニットと、前記第１の表示ユニットの表示色を設定する第１の色設定部と、を有し、前記第２の医療機器は、前記第２の医療機器に関する情報を所定の表示色で表示する第２の表示ユニットと、前記第２の表示ユニットの表示色を設定する第２の色設定部と、を有し、前記第１の色設定部と前記第２の色設定部とは、前記第１の表示ユニットの表示色と前記第２の表示ユニットの表示色とを互いに異なった色に設定可能である、ことを特徴とする医療機器システムである。
【００１１】
そして、本請求項１の発明では、第１の表示ユニットと第２の表示ユニットとは、夫々、第１の医療機器に関する情報と第２の医療機器に関する情報とを相異なる表示色で表示する。
【００１２】
請求項２の発明は、前記第１の色設定部は、複数の表示色を登録可能な表示色登録部と、前記表示色登録部に登録されている複数の表示色からいずれかの表示色を選択して設定するための設定スイッチと、を有する、ことを特徴とする請求項１に記載の医療機器システムである。
【００１３】
そして、本請求項２の発明では、第１の表示ユニットは、設定スイッチによって選択され設定された表示色で第１の医療機器に関する情報を表示する。
【００１４】
請求項３の発明は、前記表示色登録部には、複数の表示色が順番に登録されており、前記設定スイッチを操作することにより、順番に表示色が選択され設定される、ことを特徴とする請求項２に記載の医療機器システムである。
【００１５】
そして、本請求項３の発明では、設定スイッチの操作毎に、第１の表示ユニットの表示色が順番に切替わる。
【００１６】
請求項４の発明は、前記第１の表示ユニットは、所定の色で発光可能な発光部と、前記発光部の発光を利用して前記第１の医療機器に関する情報を所定の色で表示する表示部と、を有し、前記発光部は、夫々が三原色の相異なるいずれかの色で発光する第１乃至第３の光源を備え、前記第１の色設定部は、前記第１乃至第３の光源のいずれかの光源を選択する選択スイッチと、選択された光源の光量を調節するための調節部と、を有する、ことを特徴とする請求項１に記載の医療機器システムである。
【００１７】
そして、本請求項４の発明では、選択スイッチによって第１乃至第３の光源のいずれかの光源を選択し、選択された光源の光量を調節部によって調節することにより、発光部の発光色を調節して、第１の表示ユニットの表示色を設定する。
【００１８】
請求項５の発明は、前記第１乃至第３の光源には、順番が定まっており、前記選択スイッチを操作することにより、順番に光源が選択される、ことを特徴とする請求項４に記載の医療機器システムである。
【００１９】
そして、本請求項５の発明では、選択スイッチの操作毎に、調節部によって調節される光源が順番に切替わる。
【００２０】
請求項６の発明は、前記第１の表示ユニットは、所定の色で発光する発光部と、前記発光部の発光を利用して前記第１の医療機器に関する情報を所定の色で表示する表示部と、を有し、前記発光部は、夫々が三原色の相異なるいずれかの色で発光する第１乃至第３の光源を備え、前記第１の色設定部は、前記第１乃至第３の光源の光量を夫々調節するための第１乃至第３の調節部を有する、ことを特徴とする請求項１に記載の医療機器システムである。
【００２１】
そして、本請求項６の発明では、第１乃至第３の調節部によって夫々第１乃至第３の光源の光量を調節することにより、光源の発光色を調節して、第１の表示ユニットの表示色を設定する。
【００２２】
請求項７の発明は、前記第１の医療機器は、前記第１の色設定部で設定された前記第１の表示ユニットの表示色に関する情報を前記第１の色設定部から取得し、前記第２の医療機器へと送信する送信手段をさらに有し、前記第２の医療機器は、前記送信手段から送信された前記第１の表示ユニットの表示色に関する情報を受信する受信手段をさらに有し、前記第２の色設定部は、前記受信手段から前記第１の表示ユニットの表示色に関する情報を取得し、前記第２の表示ユニットの表示色が前記第１の表示ユニットの表示色と同一に設定されるのを禁止する、ことを特徴とする請求項１に記載の医療機器システムである。
【００２３】
そして、本請求項７の発明では、第１の医療機器から第２の医療機器へと第１の表示ユニットの表示色に関する情報を伝達し、そして、第２の表示ユニットの表示色が第１の表示ユニットの表示色と同一に設定されることを禁止する。
【００２４】
請求項８の発明は、前記第２の色設定部は、設定されている前記第２の表示ユニットの表示色が前記第１の表示ユニットの表示色と同一である場合には、前記第２の表示ユニットの表示色を前記第１の表示ユニットの表示色と異なったものに自動的に変更する、ことを特徴とする請求項７に記載の医療機器システムである。
【００２５】
そして、本請求項８の発明では、前記第２の表示ユニットの表示色が、前記第１の表示ユニットの表示色と異なったものに自動的に変更される。
【００２６】
請求項９の発明は、複数のモードを有する医療機器であって、前記医療機器が複数のモードのいずれのモードにあるかを検知するモード検知部と、前記医療機器に関する情報を所定の表示色で表示する表示ユニットと、前記モード検知部によって検知されたモードに応じて、前記表示ユニットの表示色をモード毎に相異なる表示色に設定する色設定部と、を具備することを特徴とする医療機器である。
【００２７】
そして、本請求項９の発明では、医療機器のモードに応じて、表示ユニットの表示色が切替わる。
【００２８】
請求項１０の発明は、前記モードを切替えるための切替スイッチをさらに具備する、ことを特徴とする請求項９に記載の医療機器である。
【００２９】
そして、本請求項１０の発明では、切替スイッチへの操作によって医療機器のモードが切替わり、表示ユニットの表示色が切替わる。
【００３０】
請求項１１の発明は、前記複数のモードは、前記医療機器が通常の作動状態にある少なくとも１つの通常モードと、前記医療機器に異常が発生している警告モードと、を有し、前記色設定部は、前記医療機器が所定の通常モードにある場合には表示色を所定の基調色に設定し、前記医療機器が他の通常モードにある場合には表示色を前記基調色の調和色に設定し、前記医療機器が警告モードにある場合には表示色を前記基調色の補色に設定する、ことを特徴とする請求項９に記載の医療機器である。
【００３１】
そして、本請求項１１の発明では、医療機器が警告モードにある場合には、通常モードの基調色の補色である表示色で表示ユニットの表示を行う。
【発明の効果】
【００３２】
本発明によれば、表示部の表示の正確な認識が可能となり、操作ミスや判断ミスが防止されている。
【発明を実施するための最良の形態】
【００３３】
以下、本発明の第１実施形態を図１乃至図４を参照して説明する。本実施形態の医療機器システムは、複数の医療機器を有する。図１に示されるように、これら医療機器２０は、生体の観察、検査、処理等を行うためのハンドピース２２を有する。このハンドピース２２からケーブル２４が延出されており、ケーブル２４の延出端部は筐体２６に接続されている。この筐体２６は、生体の観察、検査、処理等に利用される光、各種信号、エネルギー等をケーブル２４を介してハンドピース２２に供給する。また、ハンドピース２２から、各種信号等がケーブル２４を介して筐体２６に伝達される。
【００３４】
筐体２６の前面には、医療機器２０に関する情報を操作者に告知するための表示部２８が配設されている。表示部２８に表示される医療機器２０に関する情報としては、電源のＯＮ／ＯＦＦ、筐体２６に接続されているハンドピース２２の種類、出力レベル等の各種設定、及び、医療機器２０に異常が発生した場合の警告等がある。また、筐体２６の前面には、表示部２８の表示色を設定するための表示設定スイッチ３０が配設されている。さらに、筐体２６には、筐体２６からハンドピース２２への出力を操作するための出力スイッチ３２が接続されている。
【００３５】
図２に示されるように、出力スイッチ３２への入力は、筐体２６の出力スイッチ検知部３４によって検知される。出力スイッチ３２への入力を検知した出力スイッチ検知部３４は、制御部３６に出力信号を出力する。出力信号を入力された制御部３６は、出力回路３８を制御して、出力回路３８からハンドピース２２へとエネルギーを供給させる。ハンドピース２２は、供給されたエネルギーを利用して生体に処置等を行う。
【００３６】
また、制御部３６は、医療機器２０に関する情報を検知する。この情報を検知した制御部３６は、情報信号を表示ユニット４０に出力し、表示ユニット４０は、医療機器２０に関する情報を所定の表示色で表示する。この表示ユニット４０は、医療機器２０に関する情報を操作者に告知するための上述した表示部２８を有する。本実施形態では、表示部２８として、数字等の文字及び図形等を表示可能な液晶パネルが用いられている。この液晶パネルの裏側には、バックライトとして機能する発光部４２が配設されている。発光部４２は、所定の色で発光可能であり、発光部４２の発光色が表示ユニット４０の表示色となる。
【００３７】
以下、発光部４２の発光色を調整して、表示ユニット４０の表示色を調節するための構成を説明する。筐体２６の表示設定スイッチ３０への入力は、設定スイッチ検知部４４によって検知される。表示設定スイッチ３０への入力を検知した設定スイッチ検知部４４は、設定信号を制御部３６に出力する。制御部３６には設定番号Ｎが記憶されており、設定信号を入力された制御部３６は設定番号をＮからＮ＋１へと更新する。
【００３８】
一方、制御部３６には、Ｍ個の表示色が登録されており、各表示色には１からＭまでの登録番号が順番に付されている。即ち、制御部３６は、複数の表示色を登録可能な表示色登録部としての機能を有する。登録されている表示色は、どんな色でもよいが、視認しやすいように明るい色が好ましい。
【００３９】
そして、制御部３６は、設定番号に対応する登録番号が付されている表示色を選択する。なお、制御部３６に記録されている設定番号がＮ＝Ｍである場合には、設定信号を入力された制御部３６は設定番号をＮ＝ＭからＮ＝１へと更新する。制御部３６は、選択された表示色についての色設定信号を表示色調整部４６に出力する。
【００４０】
この表示色調整部４６は、表示ユニット４０の発光部４２の発光色を調整して、選択された表示色を実現する。即ち、図３に示されるように、発光部４２は、三原色である赤（Ｒ）、緑（Ｇ）、青（Ｂ）に夫々発光する第１乃至第３の光源４８ａ，４８ｂ，４８ｃを有する。本実施形態では、第１乃至第３の光源４８ａ，４８ｂ，４８ｃとして、夫々、赤色ＬＥＤ、緑色ＬＥＤ、青色ＬＥＤを用いている。制御部３６からの色設定信号は、表示色調整部４６の輝度調節部５０に入力される。輝度調節部５０は、入力された表示色を実現するような第１乃至第３の光源４８ａ，４８ｂ，４８ｃの夫々の輝度を算出し、かかる輝度を実現するような第１乃至第３の光源４８ａ，４８ｂ，４８ｃへの負荷電圧を夫々算出する。輝度調節部５０は、算出した各負荷電圧についての各デジタルデータを夫々第１乃至第３のＤＡＣ（ＤＡコンバータ）５２ａ，５２ｂ，５２ｃに出力する。これら第１乃至第３のＤＡＣ５２ａ，５２ｂ，５２ｃを介して、第１乃至第３の光源４８ａ，４８ｂ，４８ｃの輝度が夫々調節され、発光部４２の発光色が調節される。
【００４１】
このように、本実施形態では、表示設定スイッチ３０、設定スイッチ検知部４４、制御部３６及び表示色調整部４６によって、表示ユニット４０の表示色を設定する色設定部５３ａが形成されている。
【００４２】
次に、本実施形態の医療機器システムの作用について説明する。本実施形態の医療機器システムを用いるに際しては、複数の医療機器２０の表示ユニット４０の表示色を夫々設定する。  
以下、図４のフローチャートを用いて、表示色の設定について説明する。
【００４３】
電源ＯＮ（Ｓ１１）
医療機器２０の電源をＯＮにする。
【００４４】
表示設定スイッチへの入力？（Ｓ１２）
表示設定スイッチ３０に入力がされたか否か判断する。
【００４５】
設定番号の更新  Ｎ→Ｎ＋１（Ｓ１３）
表示設定スイッチ３０に入力がされた場合には、設定スイッチ検知部４４によって表示設定スイッチ３０への入力が検知される。そして、設定スイッチ検知部４４から制御部３６に設定信号が入力され、制御部３６は設定番号をＮからＮ＋１へと更新する。  
なお、表示設定スイッチ３０に入力がされなかった場合には、ステップＳ１２からステップＳ１４へと進む。
【００４６】
表示色の設定（Ｓ１４）
制御部３６は、設定番号に対応する登録番号が付されている表示色を選択する。このようにして、表示ユニット４０の表示色が設定される。
【００４７】
設定された表示色による表示（Ｓ１５）
制御部３６は、表示色についての色設定信号を表示色調整部４６に入力する。表示色調整部４６は、第１乃至第３の光源４８ａ，４８ｂ，４８ｃの輝度を調節し、発光部４２を設定された表示色で発光させる。そして、制御部３６から表示ユニット４０へと情報信号が出力され、設定された表示色で医療機器２０に関する情報が表示部２８に表示される。
【００４８】
電源ＯＦＦ？（Ｓ１６）
医療機器２０を用いた観察、検査、処置等が終了した場合には、電源をＯＦＦにして操作を終了する。
【００４９】
このように医療機器２０の表示色を設定する際には、複数の医療機器２０の表示色が互いに異なるように設定を行う。そして、複数の医療機器２０を同時に用いて観察、検査、処置等を行う場合には、表示部２８の表示色に基づいて、その表示部２８がどの医療機器２０の表示部２８か、即ち、その表示部２８がどの医療機器２０に関する情報を表示しているか判別する。そして、どの医療機器２０に関するものか判別された情報からその医療機器２０の状態を把握し、把握された状態に基づいて医療機器２０による観察、検査、処置等を行う。
【００５０】
従って、本実施形態の医療機器システムは次の効果を奏する。本実施形態の医療機器システムでは、複数の医療機器２０の表示部２８の表示色を互いに異なった表示色に設定している。このため、目的とする医療機器２０の表示部２８と他の医療機器２０の表示部２８とを取り違えて情報を誤認してしまうことが回避されている。従って、複数の医療機器２０を用いる場合において、操作ミスや判断ミスが防止されている。
【００５１】
特に、互いに類似する外観を有する多数の医療機器２０を、狭いエリア内に互いに隣接して配置している場合には、表示部２８の表示色が似通ったものであると、複数の表示部２８を判別することが非常に困難となる。このような場合には、上記効果が特に顕著に発揮される。
【００５２】
なお、本実施形態では、表示部２８として液晶パネルを用いているが、数字等の文字を表示する７セグメント表示部を用いてもよい。また、表示部２８としてガラス窓を用い、制御部３６によって発光部４２を点灯、点滅、消灯させることにより、医療機器２０に関する情報を告知するようにしてもよい。
【００５３】
図５乃至図７は、本発明の第２実施形態を示す。第１実施形態と同様な機能を有する構成には、同一の参照符号を付して説明を省略する。本実施形態の医療機器は、第１実施形態の医療機器とは、表示ユニットの表示色を設定する色設定部の構成が異なっている。
【００５４】
図３、図５及び図６を参照し、本実施形態の医療機器２０の筐体２６の前面には、発光部４２の第１乃至第３の光源４８ａ，４８ｂ，４８ｃのいずれかの光源４８ａ，４８ｂ，４８ｃ、即ち、三原色のいずれかの色を選択するための色選択スイッチ５４が配設されている。また、医療機器２０の筐体２６の前面には、選択された光源４８ａ，４８ｂ，４８ｃの輝度を調節し、選択された色の発光色に占める割合を変化させて発光色を設定する調節部５６が配設されている。この調節部５６は、輝度を増加させるＵＰスイッチ５６ａと、低下させるＤＯＷＮスイッチ５６ｂとを有する。
【００５５】
色選択スイッチ５４への入力は、色調節スイッチ検知部５８によって検知される。色選択スイッチ５４への入力を検知した色調節スイッチ検知部５８は、制御部３６を介して選択信号を表示色調整部４６に出力する。ここで、表示色調整部４６は、Ｒ（赤）設定状態、Ｇ（緑）設定状態、Ｂ（青）設定状態のいずれかの設定状態を取り得る。そして、表示色調整部４６への選択信号の入力毎に、表示色調整部４６の設定状態は、Ｒ設定状態→Ｇ設定状態→Ｂ設定状態→Ｒ設定状態のように循環的に切替わる。
【００５６】
また、ＵＰスイッチ５６ａ及びＤＯＷＮスイッチ５６ｂへの入力は、色調節スイッチ検知部５８によって検知される。ＵＰスイッチ５６ａへの入力を検知した色調節スイッチ検知部５８は、制御部３６を介してＵＰ信号を表示色調整部４６に出力する。ＵＰ信号を入力された表示色調整部４６は、表示色調整部４６がＲ設定状態にある場合には、赤色に発光する第１の光源４８ａの輝度を所定量だけ増大させて、発光部４２の発光色に占める赤の割合を所定量だけ増大させる。同様に、表示色調整部４６がＧあるいはＢ設定状態にある場合には、発光部４２の発光色に占める緑あるいは青の割合が所定量だけ増大される。一方、ＤＯＷＮスイッチ５６ｂへの入力により、光源４８ａ，４８ｂ，４８ｃの輝度が所定量だけ減少され、発光部４２の発光色に占める赤、緑あるいは青の割合が所定量だけ減少される。このようにして、発光部４２の発光色が調節される。
【００５７】
このように、本実施形態では、色選択スイッチ５４、ＵＰスイッチ５６ａ、ＤＯＷＮスイッチ５６ｂ、色調節スイッチ検知部５８、制御部３６及び表示色調整部４６によって、表示ユニット４０の表示色を設定する色設定部５３ｂが形成されている。
【００５８】
次に、本実施形態の医療機器システムの作用について、図７のフローチャートを用いて説明する。第１実施形態と同様な工程については、詳細な説明を省略する。
【００５９】
電源ＯＮ（Ｓ２１）
医療機器２０の電源をＯＮにする。
【００６０】
色選択スイッチへの入力？（Ｓ２２）
色選択スイッチ５４に入力がされたか否か判断する。
【００６１】
Ｒ設定状態→Ｇ設定状態→Ｂ設定状態→Ｒ設定状態（Ｓ２３）
色選択スイッチ５４に入力がされた場合には、色調節スイッチ検知部５８によって色選択スイッチ５４への入力が検知される。そして、色調節スイッチ検知部５８から制御部３６を介して選択信号が表示色調整部４６に出力され、表示色調整部４６の設定状態が、Ｒ設定状態からＧ設定状態へと、Ｇ設定状態からＢ設定状態へと、あるいは、Ｂ設定状態からＲ設定状態へと切替わる。
【００６２】
色選択スイッチ５４に入力がされない場合には、ステップＳ２２からステップＳ２４へと進む。
【００６３】
ＵＰスイッチあるいはＤＯＷＮスイッチへの入力？（Ｓ２４）
ＵＰスイッチ５６ａあるいはＤＯＷＮスイッチ５６ｂに入力がされたか否か判断する。
【００６４】
設定状態に対応する光源の輝度の増大あるいは減少（Ｓ２５）
ＵＰスイッチ５６ａに入力がされた場合には、ＵＰスイッチ５６ａへの入力が、色調節スイッチ検知部５８によって検知される。そして、色調節スイッチ検知部５８から制御部３６を介してＵＰ信号が表示色調整部４６に出力される。ＵＰ信号を入力された表示色調整部４６は、設定状態に対応する光源４８ａ，４８ｂ，４８ｃの輝度を増大させる。即ち、表示色調整部４６がＲ、ＧあるいはＢ設定状態にある場合には、赤色、緑色あるいは青色に夫々発光する第１乃至第３の光源４８ａ，４８ｂ，４８ｃの輝度を所定量だけ増大させる。
【００６５】
同様に、ＤＯＷＮスイッチ５６ｂに入力がされた場合には、設定状態に対応する光源４８ａ，４８ｂ，４８ｃの輝度を減少させる。
【００６６】
このようにして、発光部４２の発光色に占める赤、緑、青の割合を所定量だけ増減させ、表示ユニット４０の表示色を設定する。
【００６７】
ＵＰスイッチ５６ａあるいはＤＯＷＮスイッチ５６ｂに入力がされなかった場合には、ステップＳ２４からステップＳ２６へと進む。
【００６８】
設定された表示色による表示（Ｓ２６）
医療機器２０に関する情報を設定された表示色で表示部２８に表示する。  
電源ＯＦＦ？（Ｓ２７）
医療機器２０を用いた観察等が終了した場合には、電源をＯＦＦにして操作を終了する。
【００６９】
従って、本実施形態の医療機器システムは次の効果を奏する。本実施形態では、色選択スイッチ５４によって、三原色の相異なるいずれかの色で夫々発光する第１乃至第３の光源４８ａ，４８ｂ，４８ｃのいずれかの光源４８ａ，４８ｂ，４８ｃを選択し、選択された光源４８ａ，４８ｂ，４８ｃの輝度をＵＰスイッチ５６ａあるいはＤＯＷＮスイッチ５６ｂによって増減させることにより、発光部４２の発光色を調節している。即ち、表示ユニット４０の表示色を操作者の所望の色に調節することが可能となっており、複数の表示部２８を判別することが容易になるような表示色を高い自由度で設定することが可能となっている。
【００７０】
図８及び図９は、本発明の第３実施形態を示す。第２実施形態と同様な機能を有する構成には、同一の参照符号を付して説明を省略する。本実施形態の医療機器は、第２実施形態の医療機器とは、表示ユニットの表示色を設定する色設定部の構成が異なっている。
【００７１】
図８及び図９に示されるように、本実施形態の筐体２６の前面には、表示色における赤色、緑色、青色の割合を夫々調節するための、第１乃至第３の調節部としての第１乃至第３のボリュームつまみ６０ａ，６０ｂ，６０ｃが配設されている。これら第１乃至第３のボリュームつまみ６０ａ，６０ｂ，６０ｃを回転操作することにより、発光部４２の第１乃至第３の光源４８ａ，４８ｂ，４８ｃへの負荷電圧が夫々調節され、第１乃至第３の光源４８ａ，４８ｂ，４８ｃの輝度が夫々調節される。このようにして発光部４２の発光色が調節され、表示色が設定される。
【００７２】
従って、本実施形態の医療機器システムは次の効果を奏する。本実施形態では、ボリュームつまみ６０ａ，６０ｂ，６０ｃを回転操作することにより、光源４８ａ，４８ｂ，４８ｃの輝度を連続的に調節することが可能となっている。このため、第２実施形態のように、操作毎に光源４８ａ，４８ｂ，４８ｃの輝度を所定量だけ離散的に増減させるＵＰスイッチ５６ａ及びＤＯＷＮスイッチ５６ｂを用いる場合に比べて、光源４８ａ，４８ｂ，４８ｃの輝度を微妙に調節でき、表示色を微妙に設定することが可能となっている。
【００７３】
図１０乃至図１２は、本発明の第４実施形態を示す。第１実施形態と同様な機能を有する構成には、同一の参照符号を付して説明を省略する。本実施形態の医療機器は、医療機器のモードに応じて、表示ユニットの表示色を切替えるようにしたものである。
【００７４】
図１０及び図１１に示されるように、筐体２６の前面には、医療機器２０のモード（状態）を切替える切替スイッチ６２が配設されている。本実施形態では、医療機器２０はモードＡ、モードＢ、モードＣの３つのモードを取り得、切替スイッチ６２への入力により、医療機器２０のモードは、モードＡ→モードＢ→モードＣ→モードＡのように循環的に切替わる。医療機器２０のモードとしては、ハンドピース２２への出力レベル等が選択され得る。
【００７５】
切替スイッチ６２への入力は、切替スイッチ検知部６４によって検知される。切替スイッチ６２への入力を検知した切替スイッチ検知部６４はモード切替部６６に切替信号を出力し、モード切替部６６は医療機器２０のモードを切替える。医療機器２０のモードの切替は制御部３６によって検知され、制御部３６はモードデータを表示色調整部４６に出力する。即ち、制御部３６は、医療機器２０のモードを検知するモード検知部としての機能を有する。表示色調整部４６には、医療機器２０の各モードに対応して互いに異なる表示色が登録されており、モードデータを入力された表示色調整部４６は、モードに対応する表示色を選択する。そして、表示色調整部４６は、発光部４２の発光色を選択された表示色へと調節する。このようにして、表示ユニット４０の表示色が設定される。
【００７６】
このように、本実施形態では、切替スイッチ６２、切替スイッチ検知部６４、モード切替部６６、制御部３６及び表示色調整部４６によって、表示ユニット４０の表示色を設定する色設定部５３ｃが形成されている。
【００７７】
次に、本実施形態の医療機器システムの作用について説明する。  
以下、図１２のフローチャートを用いて、表示色の設定について説明する。
【００７８】
電源ＯＮ（Ｓ３１）
医療機器２０の電源をＯＮにする。
【００７９】
切替スイッチへの入力？（Ｓ３２）
切替スイッチ６２に入力がされたか否か判断する。
【００８０】
モードＡ→モードＢ→モードＣ→モードＡ（Ｓ３３）
切替スイッチ６２に入力がされた場合には、切替スイッチ検知部６４によって切替スイッチ６２への入力が検知される。そして、切替スイッチ検知部６４からモード切替部６６に切替信号が入力され、医療機器２０のモードが、モードＡ→モードＢ、モードＢ→モードＣ、あるいは、モードＣ→モードＡへと切替えられる。  
切替スイッチ６２に入力がされない場合には、ステップＳ３２からステップＳ３４へと進む。
【００８１】
モードに対応する表示色の選択（Ｓ３４）
医療機器２０のモードは制御部３６によって検知され、制御部３６から表示色調整部４６にモードデータが出力され、表示色調整部４６はモードに対応する表示色を選択する。そして、表示色調整部４６は、発光部４２の発光色を選択された表示色へと調節する。このようにして、表示ユニット４０の表示色が設定される。
【００８２】
設定された表示色による表示（Ｓ３５）
設定された表示色で、医療機器２０に関する情報を表示部２８に表示する。
【００８３】
電源ＯＦＦ？（Ｓ３６）
医療機器２０を用いた観察等が終了した場合には、電源をＯＦＦにして操作を終了する。
【００８４】
複数のモードを有する医療機器２０を用いて観察等を行う場合には、表示部２８の表示色に基づいて、医療機器２０がいずれのモードにあるか判別する。そして、いずれのモードに関するものか判別された情報から、その医療機器２０の状態を把握し、把握された状態に基づいて医療機器２０による観察等を行う。
【００８５】
従って、本実施形態の医療機器システムは次の効果を奏する。本実施形態の医療機器システムでは、医療機器２０のモード毎に表示部２８の表示色を互いに異なった表示色に設定している。このため、医療機器２０がどのモードにあるか誤認することが回避され、複数のモードを有する医療機器２０を用いる場合において、操作ミスや判断ミスが防止されている。
【００８６】
特に、複数のモードにおいて表示される情報が、互いにそれほど異なったものでない場合には、表示部２８の表示色が複数のモード間で似通ったものであると、医療機器２０がいずれのモードにあるか判別することが困難になる。このような場合には、上記効果が特に顕著に発揮される。
【００８７】
以下、本発明の第４実施形態の変形例について説明する。本変形例では、医療機器２０のモードを切替える切替スイッチ６２を用いず、接続されたハンドピース２２の種類によって医療機器２０のモードが切替わるようにしている。このため、表示色に基づいて、医療機器２０のモードを判別することができると共に、ハンドピース２２の種類を識別することが可能となっている。
【００８８】
図１３及び図１４は、本発明の第５実施形態を示す。第１実施形態と同様な機能を有する構成には、同一の参照符号を付して説明を省略する。本実施形態の医療機器は、医療機器が警告モードにある場合には、通常モードにある場合とは異なった表示色で表示を行うようにしたものである。
【００８９】
図１３を参照し、本実施形態の医療機器２０は、医療機器２０が通常の作動状態にある通常モードと、医療機器２０に異常が発生している警告モードとを有する。そして、医療機器２０は、表示色調整部４６とは独立に、警告モードにおいて作動する警告時専用表示色調整部６８を有する。
【００９０】
医療機器２０の制御部３６は、医療機器２０の異常を検知する。そして、異常を検知した制御部３６は、医療機器２０を通常モードから警告モードに切替え、表示色調整部４６には停止信号を、警告時専用表示色調整部６８には作動信号を出力する。作動信号を入力された警告時専用表示色調整部６８は、表示ユニット４０の表示色を、警告時専用表示色調整部６８に登録されている所定の表示色に設定する。制御部３６は、この所定の表示色で表示部２８に警告を表示させる。
【００９１】
ここで、表示設定スイッチ３０、設定スイッチ検知部４４及び表示色調整部４６の構成は、第１実施形態と同様であり、表示色調整部４６に登録されている複数の表示色から所定の表示色を設定することが可能である。ここで、表示色調整部４６に登録されている複数の表示色は所定の基調色を含み、その他の登録されている表示色はこの基調色の調和色となっている。そして、警告時専用表示色調整部６８に登録されている表示色は、この基調色の補色となっている。例えば、医療機器２０が通常モードにある場合の表示色を青系統の色とし、医療機器２０が警告モードにある場合の表示色を黄系統の色とすることが可能である。
【００９２】
さらに、医療機器２０が警告モードにある場合には、発光部４２の輝度全体を通常モードにある場合よりも増大するようにしてもよい。また、医療機器２０が警告モードにある場合には、通常モードの基調色の補色である所定の基調色を基準とする調和色間で，循環的に表示色が変化するようにしてもよい。
【００９３】
このように、本実施形態では、表示設定スイッチ３０、設定スイッチ検知部４４、制御部３６、表示色調整部４６、警告時専用表示色調整部６８によって、表示ユニット４０の表示色を設定する色設定部５３ｄが形成されている。
【００９４】
次に、本実施形態の医療機器システムの作用について説明する。
【００９５】
電源ＯＮ（Ｓ４１）
医療機器２０の電源をＯＮにする。
【００９６】
表示色の設定  設定された表示色による表示（Ｓ４２）
第１実施形態と同様に表示色を設定し、設定された表示色で表示を行う。
【００９７】
異常発生？（Ｓ４３）
医療機器２０に異常が発生したか否か判断する。
【００９８】
表示色調整部ＯＦＦ    警告時専用表示色調整部ＯＮ（Ｓ４４）
医療機器２０に異常が発生した場合には、制御部３６によって異常が検知される。異常を検知した制御部３６は、表示色調整部４６を停止すると共に、警告時専用表示色調整部６８を作動させる。
【００９９】
警告時専用表示色調整部が表示色を設定  警告の表示（Ｓ４５）
警告時専用表示色調整部６８は、表示ユニット４０の表示色を、警告時専用表示色調整部６８登録されている所定の表示色に設定する。この所定の表示色で、表示部２８に警告が表示される。ここで、警告モードの表示色は、通常モードの表示色の補色となっている。
【０１００】
通常状態に復帰？（Ｓ４６）
医療機器２０が通常状態に復帰したか否か判断する。通常状態に復帰していない場合には、医療機器２０の操作を停止する。通常状態に復帰した場合には、医療機器２０の操作を続行する。
【０１０１】
なお、異常が発生しなかった場合には、ステップＳ４３からステップＳ４７へと進む。
【０１０２】
電源ＯＦＦ？（Ｓ４７）
医療機器２０を用いた観察等が終了した場合には、電源をＯＦＦにして操作を終了する。
【０１０３】
医療機器２０を用いて観察等を行う際、表示部２８に警告が表示された場合には、医療機器２０に異常が発生したと判断して観察等を中断し、医療機器の復帰作業を行う。
【０１０４】
従って、本実施形態の医療機器システムは次の効果を奏する。本実施形態の医療機器２０では、警告を表示する際の表示色が、医療機器２０の通常モードの表示色の補色となっている。このため、警告表示に気づきやすくなっており、警告表示を見逃してしまうことが防止されている。
【０１０５】
図１５乃至図１７は、本発明の第６実施形態を示す。第１実施形態と同様な機能を有する構成には、同一の参照符号を付して説明を省略する。本実施形態の医療機器システムは、複数の医療機器間で表示色の設定情報を互いに送受信し、複数の医療機器間で表示色が互いに異なったものとなるようにしている。
【０１０６】
図１５及び図１６に示すように、本実施形態の医療機器システムは、第１及び第２の医療機器２０ａ，２０ｂを有する。これら第１及び第２の医療機器２０ａ，２０ｂは、第１実施形態の医療機器２０（図１及び図２参照）と以下の構成が異なっている。
【０１０７】
即ち、第１及び第２の医療機器２０ａ，２０ｂは、夫々、表示色の設定情報を互いに送受信するための第１及び第２の通信部７０ａ，７０ｂを有する。これら第１の通信部７０ａと第２の通信部７０ｂとは、通信ケーブル７２によって互いに接続されている。なお、第１の通信部７０ａと第２の通信部７０ｂとの間の通信方法としては、ＲＳ２３２、ＬＡＮ等の有線通信を用いてもよいし、無線ＬＡＮ、Ｂｌｕｅｔｏｏｔｈ、ＩｒＤＡ等の無線通信を用いてもよい。
【０１０８】
第１及び第２の医療機器２０ａ，２０ｂの表示色は、夫々、第１実施形態と同様に第１及び第２の表示設定スイッチ３０ａ，３０ｂによって設定される。即ち、第１及び第２の表示設定スイッチ３０ａ，３０ｂによって、夫々、第１及び第２の医療機器２０ａ，２０ｂの表示色を設定するための第１及び第２の設定番号Ｎ１、Ｎ２が設定される。
【０１０９】
ここで、第１の医療機器２０ａの第１の制御部３６ａは、設定されている第１の設定番号Ｎ１の番号データを第１の通信部７０ａに出力し、第１の通信部７０ａは、この番号データを第２の通信部７０ｂに送信する。番号データを受信した第２の通信部７０ｂは、第２の医療機器２０ｂの第２の制御部３６ｂに番号データを出力する。
【０１１０】
第２の制御部３６ｂは、第１の医療機器２０ａの第１の設定番号Ｎ１を記憶すると共に、第１の医療機器２０ａの第１の設定番号Ｎ１と、第２の制御部３６ｂで設定されている第２の設定番号Ｎ２とを比較する。第２の制御部３６ｂは、第１の設定番号Ｎ１と第２の設定番号Ｎ２とが等しい場合には、第２の設定番号Ｎ２をＮ２から例えばＮ２＋１へと更新する。また、第２の制御部３６ｂは、次の送受信まで、第２の設定番号Ｎ２が、記録されている第１の設定番号と等しく設定されることを禁止する。例えば、Ｎ２＝Ｎ１−１である場合に、第２の設定スイッチへの入力がなされた場合には、Ｎ２はＮ１＋１へと更新される。即ち、第２の制御部３６ｂは、次の送受信まで、第２の医療機器２０ｂの表示色が、直前の送受信時の第１の医療機器２０ａの表示色と同一となることを禁止する。
【０１１１】
さらに、第２の制御部３６ｂは、設定されている又は更新された第２の設定番号Ｎ１のデータを第２の通信部７０ｂに出力し、第２の通信部７０ｂは、このデータを第１の通信部７０ａに送信する。このデータを受信した第１の通信部７０ａは、第１の制御部３６ａにデータを出力する。第１の制御部３６ａは、第２の設定番号Ｎ２を記憶すると共に、次の送受信まで、第１の設定番号Ｎ１が、記録されている第２の設定番号Ｎ２と同一に設定されることを禁止する。即ち、第１の制御部３６ａは、次の送受信まで、第１の医療機器２０ａの表示色が、直前の送受信時の第２の医療機器２０ｂの表示色と同一となることを禁止する。
【０１１２】
このような第１の通信部７０ａと第２の通信部７０ｂとの間の送受信は、ポーリング等を用いて定期的に行われる。
【０１１３】
次に、本実施形態の医療機器２０の作用について説明する。
【０１１４】
以下、図１７のフローチャートを用いて、第１及び第２の医療機器２０ａ，２０ｂの表示色の設定について説明する。
【０１１５】
第１及び第２の医療機器
第１及び第２の設定番号Ｎ１，Ｎ２を送受信（Ｓ５１）
第１及び第２の医療機器２０ａ，２０ｂの電源をＯＮにした後、第１及び第２の表示色設定スイッチによって、第１及び第２の設定番号Ｎ１、Ｎ２を夫々設定することにより、第１及び第２の医療機器２０ａ，２０ｂの表示色が夫々設定される。
【０１１６】
第１及び第２の医療機器２０ａ，２０ｂは、設定された第１及び第２の設定番号Ｎ１、Ｎ２の番号データを第１及び第２の通信部７０ａ，７０ｂを介して互いに送受信する。
【０１１７】
Ｎ１とＮ２とが異なっているか？（Ｓ５２）
第１の設定番号Ｎ１を入力された第２の医療機器２０ｂの第２の制御部３６ｂは、入力された第１の設定番号Ｎ１と、第２の制御部３６ｂで設定されている第２の設定番号Ｎ２とを比較する。
【０１１８】
第２の医療機器  Ｎ２→Ｎ２＋１（Ｓ５３）
第２の制御部３６ｂは、第１の設定番号Ｎ１と第２の設定番号Ｎ２とが等しい場合には、第２の設定番号Ｎ２をＮ２からＮ２＋１へと更新する。即ち、第２の医療機器２０ｂの表示色は、第１の医療機器２０ａの表示色とは異なった表示色に自動的に変更される。
【０１１９】
なお、第１の設定番号Ｎ１と第２の設定番号Ｎ２とが異なっている場合には、ステップＳ５２からステップＳ５４へと進む。
【０１２０】
第１の医療機器  Ｎ１＝Ｎ２を禁止  第２の医療機器  Ｎ２＝Ｎ１を禁止（Ｓ５４）
第１及び第２の制御部３６ａ，３６ｂは、夫々、入力された第２及び第１の設定番号Ｎ２，Ｎ１を記録する。そして、第１の制御部３６ａは、次の送受信まで、第１の設定番号Ｎ１が、記録されている第２の設定番号Ｎ２と等しく設定されることを禁止する。同様に、第２の制御部３６ｂは、次の送受信まで、第２の設定番号Ｎ２が、記録されている第１の設定番号Ｎ１と等しく設定されることを禁止する。
【０１２１】
このように、第１及び第２の医療機器２０ａ，２０ｂの表示色を設定する際、第１の医療機器２０ａと第２の医療機器２０ｂとの表示色が同一となった場合には、自動的に第２の医療機器２０ｂの表示色が変更される。そして、次の送受信まで、第１及び第２の医療機器２０ａ，２０ｂの表示色が、夫々、直前の送受信時の第２及び第１の医療機器２０ｂ，２０ａの表示色と同一となることが禁止される。
【０１２２】
なお、第１の医療機器２０ａと第２の医療機器２０ｂとの表示色の両方を再設定した場合には、第１の医療機器２０ａと第２の医療機器２０ｂとの表示色は、直前の送受信時の第１及び第２の医療機器２０ａ，２０ｂの表示色の両方と異なる同一の表示色に設定される場合がある。この場合には、次の送受信時に、第２の医療機器２０ｂの表示色が、第１の医療機器２０ａの表示色と異なるように変更される。
【０１２３】
従って、本実施形態の医療機器システムは次の効果を奏する。本実施形態では、第１の医療機器２０ａと第２の医療機器２０ｂとの間で表示色の設定情報を互いに送受信し、第１の医療機器２０ａと第２の医療機器２０ｂとの表示色が互いに異なったものとなるように第１及び第２の制御部３６ａ，３６ｂで制御を行っている。このため、操作者自身が、第１の医療機器２０ａと第２の医療機器２０ｂとの表示色が異なったものとなるように注意する必要がなく、表示色の設定が簡便なものとなっている。
【０１２４】
本実施形態では、第１の通信部７０ａと第２の通信部７０ｂとの間の送受信は、ポーリング等を用いて定期的に行われている。代わって、医療機器２０の電源を投入した後の初期設定の直後、医療機器２０の表示色を設定した直後等に送受信を行うようにしてもよい。
【０１２５】
上述した実施形態において、各種スイッチ等は筐体２６の前面に配設されているが、筐体２６の背面等、筐体２６のどこに配設されていてもよい。
【０１２６】
次に、本出願の他の特徴的な技術事項を下記の通り付記する。  
記  
（付記項１）
・医療機器には、光や電気信号やエネルギーなどを生成し、生体とは離れた位置に配置される筺体と、前記筺体に接続し、生体に対して観察や検査や処置の少なくとも１つに用いられるハンドピースとからなるものがある。  
・第１の医療機器には、第１の医療機器の動作状態を所定の色の発行によって表示する第１の表示灯が設けられている。  
・第２の医療機器には、前記第１の表示灯に表示された色とは異なる色の発光によって第２の医療機器の動作状態表示する第２の表示灯が設けられている。
【０１２７】
（付記項２）
・医療機器には、光や電気信号やエネルギーなどを生成し、生体とは離れた位置に配置される筺体と、前記筺体に接続し、生体に対して観察や検査や処置の少なくとも１つに用いられるハンドピースとからなるものがある。  
・第１の医療機器には、第１の医療機器の動作状態を所定の色の発光によって表示する第１の表示灯と、第１の表示灯の発光色を所望の色に設定可能な第１の色設定手段を具備する。  
・第２の医療機器には、第２の医療機器の動作状態を所定の色の発光によって表示する第２の表示灯と、第２の表示灯の発光色を前記第１の表示される色とは異なる所望の色に設定可能な第２の色設定手段を具備する。
【０１２８】
（付記項３）
・医療機器には、複数のモード（状態）が存在するものがある。  
・この医療機器には、以下の機能を備えた表示灯を具備する。  
・医療機器の第１の動作状態では、その動作状態を所定の色の発光によって表示する。  
・医療機器の第２の動作状態では、その動作状態を、前記第１の動作状態での表示色とは異なる色の発光によって表示する。
【０１２９】
（付記項４）
・付記項３にかかる発明  
・第１の動作状態の表示色を、所望の色に設定可能な第１の色設定手段を具備する。  
・第２の動作状態の表示色を、前記第１の表示色とは異なる所望の色に設定可能な第２の色設定手段を具備する。
【０１３０】
（付記項５）
・付記項３にかかる発明  
・医療機器の動作状態のうち、警告状態の表示色設定手段は、他の動作状態での設定手段とは分離して具備したことを特徴とする。
【０１３１】
（付記項６）
・付記項１、付記項２、又は、付記項３にかかる発明  
・表示灯が、三原色ＬＥＤにより構成されていることを特徴とする。
【０１３２】
（付記項７）
第１の医療機器と、前記第１の医療機器に関する情報を表示する第１の表示部と、前記第１の医療機器に関する情報に対応する色を設定する第１の色設定部と、前記第１の色設定部で設定した色を前記第１の表示部に発光する第１の発光部と、前記第１の表示部に表示させる前記第１の医療機器に関する情報を検知して、この検知した情報に対応する前記第１の色設定部で設定した色を前記第１の発光部に発光させる制御を行う第１の制御部と、前記第１の色設定部で設定した第１の色情報を外部へ送信する第１の通信部と、第２の医療機器と、前記第２の医療機器に関する情報を表示する第２の表示部と、前記第１の通信部が送信する第１の色情報を受信する第２の通信部と、前記第２の医療機器に関する情報に対応するとともに前記第２の通信部で受信した前記第１の色情報と異なる色を設定する第２の色設定部と、前記第２の色設定部で設定した色を前記第２の表示部に発光する第２の発光部と、前記第２の表示部に表示させる前記第２の医療機器に関する情報を検知して、この検知した情報に対応する前記第２の色設定部で設定した色を前記第２発光部に発光させる制御を行う第２の制御部と、を具備することを特徴とする医療機器システム。
【産業上の利用可能性】
【０１３３】
本発明は、表示部の表示の正確な認識を可能にし、操作ミスや判断ミスを防止する、医療機器についての情報を表示する表示部を有する医療機器、及び、このような医療機器を複数組み合わせた医療機器システムを提供する。
【図面の簡単な説明】
【０１３４】
【図１】本発明の第１実施形態の医療機器を示す斜視図。
【図２】本発明の第１実施形態の医療機器を示すブロック図。
【図３】本発明の第１実施形態の医療機器の表示色調整部を説明するためのブロック図。
【図４】本発明の第１実施形態の医療機器における表示色の設定を説明するためのフローチャートを示す図。
【図５】本発明の第２実施形態の医療機器を示す斜視図。
【図６】本発明の第２実施形態の医療機器を示すブロック図。
【図７】本発明の第２実施形態の医療機器における表示色の設定を説明するためのフローチャートを示す図。
【図８】本発明の第３実施形態の医療機器を示す斜視図。
【図９】本発明の第３実施形態の医療機器の表示色調整部を説明するためのブロック図。
【図１０】本発明の第４実施形態の医療機器を示す斜視図。
【図１１】本発明の第４実施形態の医療機器を示すブロック図。
【図１２】本発明の第４実施形態の医療機器における表示色の設定を説明するためのフローチャートを示す図。
【図１３】本発明の第５実施形態の医療機器を示すブロック図。
【図１４】本発明の第５実施形態の医療機器における表示色の設定を説明するためのフローチャートを示す図。
【図１５】本発明の第６実施形態の医療機器システムを示す斜視図。
【図１６】本発明の第６実施形態の医療機器を示すブロック図。
【図１７】本発明の第６実施形態の医療機器における表示色の設定を説明するためのフローチャートを示す図。
【符号の説明】
【０１３５】
２０，２０ａ，２０ｂ…医療機器、４０，４０ａ，４０ｂ…表示ユニット、５３ａ，５３ｂ，５３ｃ，５３ｄ…色設定部。
【図１】
2006254964.tif 000003
【図２】
2006254964.tif 000004
【図３】
2006254964.tif 000005
【図４】
2006254964.tif 000006
【図５】
2006254964.tif 000007
【図６】
2006254964.tif 000008
【図７】
2006254964.tif 000009
【図８】
2006254964.tif 000010
【図９】
2006254964.tif 000011
【図１０】
2006254964.tif 000012
【図１１】
2006254964.tif 000013
【図１２】
2006254964.tif 000014
【図１３】
2006254964.tif 000015
【図１４】
2006254964.tif 000016
【図１５】
2006254964.tif 000017
【図１６】
2006254964.tif 000018
【図１７】
2006254964.tif 000019